(57)【要約】【課題】所期の反射効率が得られるとともに、発光管を発光管取付け面に簡単に取付けることができ、発光管が発光管取付け面から脱落するのを防止できる発光管ユニット、蛍光ランプ装置及び照明装置を提供することを目的とする。【解決手段】本発明は、発光管取付け面１７ｃを有するホルダー１７と、ホルダー１７の発光管取付け面１７ｃに沿って平面状に配置された管体によって構成された屈曲状発光管１８と、透孔１９ａが形成され、ホルダー１７と発光管１８との間に介在された反射板１９と、この反射板１９の透孔１９ａを介して発光管１８の管体及びホルダー１７の発光管取付け面１７ｃの両者に被着された接着剤２６とを備えた発光管ユニットである。【選択図】図２
2007273262.tif 000002
【特許請求の範囲】
【請求項１】
発光管取付け面を有するホルダーと；
ホルダーの発光管取付け面に沿って平面状に配置された管体によって構成された屈曲状発光管と；
透孔が形成され、ホルダーと発光管との間に介在された反射板と；
この反射板の透孔を介して発光管の管体及びホルダーの発光管取付け面の両者に被着された接着剤と；
を具備することを特徴とする発光管ユニット。
【請求項２】
反射板に形成された透孔は、発光管の管体に対向する位置に形成されていることを特徴とする請求項１記載の発光管ユニット。
【請求項３】
反射板に形成された透孔は、発光管の隣り合う管体同士の間隙に対向する位置に形成されていることを特徴とする請求項１記載の発光管ユニット。
【請求項４】
反射板の透孔と連通する貫通孔がホルダーの発光管取付け面に形成されており、この透孔と貫通孔を介して接着剤が注入されていることを特徴とする請求項１乃至請求項３のいずれか一記載の発光管ユニット。
【請求項５】
請求項１乃至請求項４のいずれか一記載の発光管ユニットと；
発光管に電力を供給する点灯装置と；
を具備することを特徴とする蛍光ランプ装置。
【請求項６】
電源から電力が給電される給電部と；
給電部と接続される請求項５に記載の蛍光ランプ装置と；
を具備することを特徴とする照明装置。
【発明の詳細な説明】
【技術分野】
【０００１】
本発明は、発光管ユニット、この発光管ユニットを備えた蛍光ランプ装置及び照明装置に関する。
【背景技術】
【０００２】
従来、屈曲された発光管を有する蛍光ランプと、この発光管を点灯させる点灯装置とを一体的に備えた蛍光ランプ装置が用いられている(例えば、特許文献１参照)。このような蛍光ランプ装置について、平面的な光源を得るため、扁平な円盤状の本体に点灯装置を収容し、本体の下面に沿って平面状に屈曲された発光管を取付け、これら本体の下面と発光管とをグローブで覆った扁平な円盤状の小形な蛍光ランプ装置が知られている(例えば、非特許文献１参照)。
【特許文献１】特開平６−２８３１３９号公報
【非特許文献１】シルバニア 0025219 マイクロリンクス F 7W/840(SYLVANIA 0025219 Micro-Lynx F 7W/840)、[online]、2005年、シルバニア ライティング インターナショナル(Sylvania Lighting International)、[平成18年3月24日検索]、インタネット＜http://www.sylvania-lamps.com/catalog/pdflib/lamps2pdf.php?id=2514＞
【発明の開示】
【発明が解決しようとする課題】
【０００３】
しかしながら、この種の蛍光ランプ装置は、小形、薄型化するため、本体の発光管取付け面に対し、発光管が接近又は接触した状態で取付けられる。このため、発光管取付け面は、耐熱性、放熱のための熱伝導性が要求され、一般的には、アルミダイカスト等の金属材料が用いられる。
【０００４】
ところで、発光管取付け面は、発光管からの光を反射する役目もなすが、所期の反射効率を達成するには、発光管取付け面の反射率を向上させるため、高精度の加工、仕上げを行わなければならない。
【０００５】
これを回避して反射率を向上させる方法としては、発光管取付け面にアルミ蒸着膜を施して鏡面処理することが考えられる。しかし、この方法では、発光管の熱により蒸着膜の剥がれや劣化の問題が生じてしまう恐れがある。
【０００６】
これらの問題点を解決するため、本体の平面部に反射率の良好な反射板を取付け、さらに、この反射板に発光管を取付けることが考えられる。
【０００７】
しかしながら、この場合、本体の平面部へ反射板を取付け、さらに、反射板へ発光管を取付けるという複数の工程を踏むため、製造が煩雑になるという問題がある。
【０００８】
そこで、本発明は、このような問題点を解消するもので、簡単な構成により、所期の反射効率が得られるとともに、発光管を発光管取付け面に簡単に取付けることができ、発光管が発光管取付け面から脱落するのを防止できる発光管ユニット、蛍光ランプ装置及び照明装置を提供することを目的とする。
【課題を解決するための手段】
【０００９】
請求項１記載の発光管ユニットは、発光管取付け面を有するホルダーと、ホルダーの発光管取付け面に沿って平面状に配置された管体によって構成された屈曲状発光管と、透孔が形成され、ホルダーと発光管との間に介在された反射板と、この反射板の透孔を介して発光管の管体及びホルダーの発光管取付け面の両者に被着された接着剤とを具備することを特徴とする。
【００１０】
請求項２記載の発光管ユニットは、請求項１記載の発光管ユニットにおいて、反射板に形成された透孔は、発光管の管体に対向する位置に形成されていることを特徴とする。
【００１１】
請求項３に記載の発光管ユニットは、請求項１記載の発光管ユニットにおいて、反射板に形成された透孔は、発光管の隣り合う管体同士の間隙に対向する位置に形成されていることを特徴とする。
【００１２】
請求項４に記載の発光管ユニットは、請求項１乃至請求項３のいずれか一記載の発光管ユニットにおいて、反射板の透孔と連通する貫通孔がホルダーの発光管取付け面に形成されており、この透孔と貫通孔を介して接着剤が注入されていることを特徴とする。
【００１３】
請求項５に記載の蛍光ランプ装置は、請求項１乃至請求項４のいずれか一記載の発光管ユニットと、発光管に電力を供給する点灯装置とを具備することを特徴とする。
【００１４】
請求項６に記載の照明装置は、電源から電力が給電される給電部と、給電部と接続される請求項５に記載の蛍光ランプ装置とを具備することを特徴とする。
【００１５】
各発明において、反射板に形成した透孔とは、切欠きを含む概念である。
【発明の効果】
【００１６】
本発明は、ホルダーと発光管との間に介在された反射板の透孔を介して接着剤が発光管の管体及びホルダーの発光管取付け面の両者に被着されるので、所期の反射効率が得られるとともに、簡単な構成により、発光管を発光管取付け面に確実に取付けることができ、発光管が発光管取付け面から脱落するのを防止できる発光管ユニット、蛍光ランプ装置及び照明装置を提供することができる。
【発明を実施するための最良の形態】
【００１７】
本発明の一実施形態を図面を参照して説明する。
【００１８】
図1は、本発明の発光管ユニットを備えた照明装置の第1の実施形態を示す縦断面図であり、図２（ａ）は、同横断面図であり、（ｂ）は、反射板を示す平面図である。図３は、蛍光ランプ装置を示す斜視図である。
【００１９】
図１において、照明装置１は、例えば、設置部である天井面２に直付設置されるもので、天井面２に直付される扁平な給電部としての円環状のソケット装置１０と、このソケット装置１０に着脱可能に装着される扁平な円盤状の蛍光ランプ装置１１とを備えている。
【００２０】
ソケット装置１０は、円筒状をなすケース体１２を備え、このケース体１２がねじなどにて天井面２に固定されている。また、このケース体１２には、ソケット部を構成する図示しない一対の接続端子金具が収容され、これら接続端子金具にそれぞれ天井部に配線された商用交流電源線が接続されている。さらに、ケース体１２の下面には、各接続端子金具と導通している図示しない給電端子に沿って、ソケット部を構成する給電孔１３が形成されている。
【００２１】
蛍光ランプ装置１１は、図１及び図３に示すように、内部に点灯装置収容部１４を構成する本体１５と、この本体１５に収納された点灯装置１６と、本体１５に組合されたホルダー１７と、このホルダー１７に取付けられた発光管１８と、ホルダー１７と発光管１８との間に介在された反射板１９と、発光管１８からなる蛍光ランプとともに本体１５の下面側を覆うグローブ２０とを備えている。
【００２２】
本体１５は、絶縁性を有する樹脂で形成された略円盤状で、その外周部近傍には円筒状の係合受部２１が形成されている。また、本体１５には一体的にＧＸ５３形式の口金部２２が設けられている。
【００２３】
点灯装置１６は、回路基板１６ａと、この回路基板１６ａの片面あるいは両面に実装された電気部品１６ｂとを備えている。
【００２４】
ホルダー１７は、熱伝導性の良好な金属であるアルミニウムダイカストで形成された略円盤状をなし、基板部１７ａと、この基板部１７ａの外周部に連続する縁部１７ｂとが一体に形成されている。基板部１７ａ下面は円形平坦の発光管取付け面１７ｃとなっている。また、縁部１７ｂは、下面を開口した断面略Ｖ字状をなし、外周面は、上側に向かって径寸法が小さくなるように傾斜している。縁部１７ｂの上側内縁方向には、ホルダー１７の保持部１７ｄが形成されており、この保持部１７ｄは本体の係合受部２１に係合し、これにより本体にとホルダー１７とは、しっかりと固定される。また、この縁部１７ｂの下側の開口は、グローブ２０が接着により取付けられる。
【００２５】
蛍光ランプは、発光管１８を備え、この発光管１８は、内面に例えば、３波長形の蛍光体が設けられ、内部にアルゴン(Ar)、ネオン(Ne)、あるいはクリプトン(Kr)などの希ガスや水銀などを含む封入ガスが封入された単数又は複数の放電路を構成している。この実施形態では、発光管１８は、３本のＵ字状に屈曲された管体１８ａ、１８ｂ、１８ｃを連通管２３で順次接続し、１本の連続した放電路を形成している。
【００２６】
そして、各管体１８ａ、１８ｂ、１８ｃは、ガラス製の断面略円筒状の管体が中間部で屈曲された屈曲部と、この屈曲部に連続する互いに平行な一対の直管部とを備えている。各管体１８ａ、１８ｂ、１８ｃは、各直管部が互いに平行で、かつ、同一平面上に位置するように配置されているとともに、中央の管体１８ｂの直管部の長さが最も大きく、両側の管体１８ａ、１８ｃの外側の直管部の長さは最も小さく形成され、全体として略円板状に沿う平面状の発光管１８を構成するように形成されている。
【００２７】
また、放電路の両端に位置する両側の管体１８ａ、１８ｃの各一端部には、ステムシールあるいはピンチシールによって一対の電極２４が封装されている。各電極２４は、フィラメントコイルを有し、このフィラメントコイルが一対の線状のウエルズに支持されている。各ウエルズは、例えば、両側の管体１８ａ、１８ｃの各一端部に封装されたジュメット線を介して両側の管体１８ａ、１８ｃから外部に導出され、点灯装置１６に接続される電極ワイヤ２５に接続されている。
【００２８】
反射板１９は、厚さ約０．１ｍｍ〜１．０ｍｍの反射率が良好なアルミニウム製の薄板から形成された薄型反射板１９であり、ホルダー１７の発光管取付け面１７ｃと発光管１８との間に介在され、その形状は、ホルダー１７の発光管取付け面１７ｃの形状に概略沿うようになっている。
【００２９】
図に示すように、複数箇所に円形の透孔１９ａ及び二箇所に扇形の切欠き１９ｂが形成されている。
【００３０】
円形の透孔１９ａは、発光管１８の管体に対応して、その頂部近傍及び直管部の中間位置に対応して形成されている。すなわち、発光管１８がホルダー１７に置かれた状態では、発光管１８の管体により円形の透孔１９ａは覆われるように管体に対向する位置関係となっている。二箇所に形成された扇形の切欠き１９ｂは、発光管１８からの電極ワイヤ２５を点灯装置１６に接続するための通過部としての機能をなすものである。
【００３１】
次に、反射板１９の透孔１９ａに対応して、シリコーン樹脂を主成分とする接着剤２６が設けられている。接着剤２６は反射板１９の透孔１９ａに対応しているので、発光管１８を直接的にホルダー１７の発光管取付け面１７ｃに取付けることとなると同時に、反射板１９の透孔１９ａからはみ出た接着剤２６により、反射板１９も発光管取付け面１７ｃに取付けられることとなる。
【００３２】
すなわち、接着剤２６によりホルダー１７、発光管１８及び反射板１９が一体的に固定されることとなる。この場合、発光管１８の管体により接着剤２６は覆われるようになり、外部から接着剤２６は視認し難い状態となる。また、透孔１９ａが形成される部分は直上に管体が位置していることから光反射作用による反射効率の向上に寄与しないので、透孔１９ａを設けても反射効率が低下することはない。
【００３３】
グローブ２０は、透光性を有し、すなわち、透明あるいは光拡散性を有するガラスや合成樹脂により、上側に開口部を設けた扁平な曲面形状に形成されている。そして、この開口部を囲む縁部は、上側に向かう取付部２０ａとなるとともに、この開口部すなわち取付部２０ａの下方に対向する正面部は、滑らかな曲面状に形成されている。
【００３４】
さらに、これら取付部２０ａと正面部とを連設する外周部は、開口部よりも外周側に膨出する膨出部２０ｂとなり、この膨出部２０ｂの外面は、下方から上方に向かい径寸法が小さくなる傾斜面になっている。
【００３５】
次に、発光管ユニットの組立て工程の概要を説明する。発光管ユニットは、ホルダー１７と、発光管１８と、反射板１９と、接着剤２６とから構成されている。
【００３６】
まず、ホルダー１７の発光管取付け面１７ｃを上にした状態で、この発光管取付け面１７ｃに反射板１９を載置する。そして、反射板１９の透孔１９ａを介して発光管取付け面１７ｃに接着剤２６をそれぞれ所定量添着する。続いて、発光管１８を接着剤２６に沿って密着載置する。その後、接着剤２６が固化するまで所要時間放置し、組立てが完了する。
【００３７】
ここで、発光管１８を反射板１９に密着載置すると、添着されて当初山形をなしていた接着剤２６は、ある程度押し広げられて面積が大きくなる。しかし、接着剤２６は押し広げられても発光管１８の管体により覆われることになるので、外部からは接着剤２６は見え難くなる。また仮に、多少接着剤２６の一部がはみ出して外部から見えることとなったとしても、ほとんどの接着剤２６部分は発光管１８の管体により覆われることとなる。
【００３８】
以上のように本実施形態によれば、反射板１９により、所期の反射効率を得ることができ、かつ発光管１８を確実にホルダー１７の発光管取付け面１７ｃに取付けることができる。また、接着剤２６は、外部から視認し難い状態となり、意匠性に優れるとともに、結果的に接着剤２６が蛍光ランプの光照射方向への障害となることがない。
【００３９】
また、発光管１８を確実に発光管取付け面１７ｃに取付けることに加えて、発光管取付け面１７ｃと発光管１８との間に介在された反射板１９は、発光管取付け面１７ｃと発光管１８とに挟持された状態で、しっかり固定されることとなる。つまり、発光管取付け面１７ｃ、発光管１８、反射板１９の三者が一体的に固定されるようになる。
【００４０】
次に、本発明の第２の実施形態について説明する。なお、上述の実施形態と同一又は相当部分には同一符号を付し、その詳細な説明は省略する。
【００４１】
図４は、第２の実施形態を示し、図４（ａ）は照明装置の横断面図、（ｂ）は反射板１９を示す平面図である。まず、本実施形態が第１の実施形態と異なっている発光管１８のホルダー１７への取付け構成について説明する。
【００４２】
反射板１９には、中心部を挟んで互いに対向する二箇所に長方形状のスリット状切欠き１９ａ及び二箇所に扇形の切欠き１９ｂが形成されている。
【００４３】
長方形状のスリット状切欠き１９ａは、第１の実施形態の透孔に対応するものであり、発光管１８中央の管体の隣り合う管体同士の間隙に対向する位置に形成されている。すなわち、互いに平行な一対の直管部の間隙に対応している。
【００４４】
そして、反射板１９の切欠き１９ａに対応して、シリコーン樹脂を主成分とする接着剤２６が設けられている。接着剤２６は反射板１９の切欠き１９ａに対応しているので、発光管１８を直接的にホルダー１７の発光管取付け面１７ｃに取付けることとなると同時に、反射板１９の切欠き１９ａからはみ出た接着剤２６により、反射板１９をも発光管取付け面１７ｃに取付けることとなる。すなわち、接着剤２６によりホルダー１７、発光管１８及び反射板１９が一体的に固定されることとなる。
【００４５】
この場合、接着剤２６は、一対の直管部に跨って塗布されることとなるので、発光管取付け面１７ｃへの発光管の取付けが一層強固になることが期待できる。また、接着剤２６は、管体同士の間隙を埋めるように流動作用するので、例え、接着剤２６が余剰に注入されたとしても発光管１８表面への接着剤２６の無用な広がりを防止でき、さらにまた、管体同士の間隙を通じて流動した接着剤２６が反射板１９面へ無用に広がるのを防止できる。
【００４６】
二箇所に形成された扇形の切欠き１９ｂは、発光管１８からの電極ワイヤを点灯装置に接続するための通過部としての機能をなすものであるが、この切欠き１９ｂを利用して、同様に一対の直管部に跨って接着剤２６を設けている。
【００４７】
この発光管ユニットの組立て工程の概要を説明する。まず、ホルダー１７の発光管取付け面１７ｃを上にした状態で、この発光管取付け面１７ｃに反射板１９を載置する。そして、発光管１８をその上に載置し、次に、接着剤２６を反射板１９のスリット状切欠き１９ａ及び扇形の切欠き１９ｂの角部、すなわち、切欠き１９ｂに対応する管体同士の間隙に向け注入する。その後、接着剤２６が固化するまで所要時間放置し、組立てが完了する。
【００４８】
以上のように本実施形態によれば、反射板１９により、所期の反射効率を得ることができ、かつ発光管１８を確実にホルダー１７の発光管取付け面１７ｃに取付けることができる。また、接着剤２６の無用の広がりを防止することができる。さらに、発光管１８を確実に発光管取付け面１７ｃに取付けることに加えて、発光管取付け面１７ｃと発光管１８との間に介在された反射板１９は、発光管取付け面１７ｃと発光管１８とに挟持された状態で、しっかり固定されることとなる。つまり、発光管取付け面１７ｃ、発光管１８、反射板１９の三者が一体的に固定されるようになる。
【００４９】
本実施形態においては、発光管１８を反射板１９の上に載置した後に、接着剤２６を注入する工程について説明したが、発光管取付け面１７ｃに反射板１９を載置した後に反射板１９の切欠き１９ａに対応して接着剤を添着し、次に、発光管１８をその上に密着載置する工程によって組立ててもよい。この場合、添着され当初山形をなしていた接着剤は、蛍光ランプにより押し広げられるが、管体同士の間隙を埋めるように入り込むので、例え、接着剤が余剰であっても、接着剤の無用な広がりを防止できる。
【００５０】
次に、第３の実施形態を図５に示す。図５（ａ）は照明装置の横断面図、（ｂ）は反射板１９を示す平面図である。反射板１９には、三箇所に長方形状のスリット状切欠き１９ａ及び二箇所に扇形の切欠き１９ｂが形成されている。二つの長方形状のスリット状切欠き１９ａは、発光管１８の両側の管体と中央の管体との隣り合う管体同士の間隙に対応しており、他の一つの長方形状の切欠き１９ａは、発光管１８中央の一対の管体の隣り合う管体同士の間隙に対応して形成されている。そして、反射板１９の切欠き１９ａに対応して、シリコーン樹脂を主成分とする接着剤２６が設けられている。
【００５１】
本実施形態においても、上述の第２の実施形態と同様な効果を奏することができる。さらに、前述のように、発光管取付け面１７ｃに反射板１９を載置した後に、反射板１９の切欠き１９ａに対応して接着剤２６を添着し、次に、発光管１８をその上に密着載置する工程によって組立ててもよい。
【００５２】
次に、第４の実施形態を図６に示す。図６は、発光管ユニットの組立て工程を説明するための分解斜視図であり、略円盤状のホルダー１７、反射板１９及び発光管１８が示されている。
【００５３】
ホルダー１７の外周近傍には、対向した位置に矩形状の貫通孔１７ｅが形成されている。ホルダー１７の発光管取付け面１７ｃには、反射板１９が取付けられるが、反射板１９にはホルダー１７の管通孔１７ｅに対応する位置に矩形状の透孔１９ａが形成されている。この各透孔１９ａの長辺には、切起こし片１９ｃが設けられている。
【００５４】
組立てにあたっては、まず、ホルダー１７の管通孔１７ｅと反射板１９の透孔１９ａを合致させ、ホルダー１７に反射板１９を取付ける。これは、ホルダー１７の管通孔１７ｅに反射板１９の透孔１９ａの切起こし片１９ｃを挿通させ、その後、切起こし片１９ｃを外側に折曲することにより行われる。
【００５５】
そして、ホルダー１７と反射板１９とを組合わせた状態で、発光管１８の上に載置する。このとき、合致したホルダー１７の管通孔１７ｅと反射板１９の透孔１９ａとは、連通し接着剤２６注入部としての注入孔を形成しており、この注入孔を発光管１８中央の管体の隣り合う管体同士の間隙に対応するように位置させて発光管１８の上に載置する。続いて、接着剤注入ノズルから、接着剤を注入孔に向け注入する（図６破線矢印で示す。）。その後、接着剤が固化するまで所要時間放置し、組立てを終了する。
【００５６】
本実施形態によれば、第２の実施形態と同様な効果に加え、接着剤をホルダー１７と反射板１９とが組合わさって形成する接着剤注入孔から注入するので、つまり、発光管１８の裏側から注入するので、接着剤の量を必要最小限とすることが可能となる。したがって、接着剤が発光管１８の表面側へはみ出し、広がるのを少なくすることが期待できる。
【００５７】
第２の実施形態においては、接着剤２６を発光管１８の表側から注入するので、接着剤２６が発光管１８表面側に付着してしまい接着剤２６の量が過剰になり易い傾向があるが、本実施形態よれば、この不都合を解消できる。
【００５８】
なお、以上の各実施形態においては、反射板１９の透孔１９ａからはみ出た接着剤２６により、反射板１９を発光管取付け面１７ｃに取付ける場合について説明したが、ホルダー１７の発光管取付け面１７ｃに反射板１９を取付けるに際し、第４の実施形態に示す切起こし片のように特別な取付手段を用いて取付けてもよいし、補強のため反射板１９の裏面に接着剤を塗布し、この反射板１９を発光管取付け面１７ｃに貼付するようにしてよい。また、反射板１９の透孔１９ａからはみ出た接着剤２６と特別な取付手段の双方を適用してもよい。
【００５９】
さらに、発光管取付け面１７ｃと発光管との間に介在された反射板１９は、発光管取付け面１７ｃと発光管とに挟持されるので、反射板１９の透孔１９ａからはみ出した接着剤２６、特別な取付手段のいずれにもよらず、前記挟持のみによって反射板１９を発光管取付け面１７ｃに取付ける状態としてもよい。
【００６０】
さらにまた、反射板１９に形成される透孔１９ａ、電極ワイヤ２５の通過部としての切欠き１９ｂは、種々の形状を採り得る。
【００６１】
なお、蛍光ランプの発光管１８は、ホルダー１７の発光管取付け面１７ｃから若干、例えば、１ｍｍ〜２ｍｍ程度離間していてもよい。この場合であっても、上述の各実施形態と同様な効果を奏することができるとともに、反射板１９、ホルダー１７への熱的影響を緩和できる。
【００６２】
次に、発光管の形状、反射板の形状が異なる発光管ユニットの変形例について説明する。図７は、渦巻状に屈曲した発光管１８を示すものである。図８は、波状に屈曲した発光管１８を示すものである。図９は、図８と同様に波状に屈曲した発光管１８を示すものであるが、反射板１９を長方形に構成したものである。図１０は、３本のＵ字状に屈曲した発光管１８を連通管で接続したもので、反射板１９は略正方形に構成したものである。
【００６３】
以上のように、発光管及び反射板の形状は、種々の形状を採り得、また、各実施形態において、反射板１９の形状はホルダーの発光管取付け面の形状に概略沿うものであり、反射板１９に形成される透孔は、図示は省略するが、適宜個数、形状、大きさを採り得る。
【００６４】
次に、本発明の照明装置の他の実施形態について、図１１を参照して説明する。図１１は、電気スタンドを示す斜視図である。
【００６５】
器具本体３０は、基台部３１と灯体部３２、これら基台部３１と灯体部３２を接続するアーム部３３とからなっている。そして灯体部３２には、上述の発光管ユニットが配置されており、基台部３１には発光管１８に電力を供給する点灯装置が収容されている。また、基台部３１には、電源からの電力を供給する給電部としての電源プラグ３４が接続されている。
【００６６】
なお、照明装置としては、フロアスタンド、天井埋め込み形の照明器具、天井吊下げ形の照明器具などであってもよい。
【図面の簡単な説明】
【００６７】
【図１】本発明の発光管ユニットを備えた照明装置の一実施形態を示す縦断面図である。
【図２】同照明装置の一実施形態を示す説明図であり、（ａ）は横断面図、（ｂ）は反射板の平面図である。
【図３】同照明装置の蛍光ランプ装置をソケット装置から取り外した状態の斜視図である。
【図４】同照明装置の第２の実施形態を示す説明図であり、（ａ）は横断面図、（ｂ）は反射板の平面図である。
【図５】同照明装置の第３の実施形態を示す説明図であり、（ａ）は横断面図、（ｂ）は反射板の平面図である。
【図６】同照明装置の第４の実施形態を示す発光管ユニットの分解斜視図である。
【図７】本発明の発光管ユニットにおける発光管の変形例を示す平面図である。
【図８】同変形例を示す平面図である。
【図９】本発明の発光管ユニットにおける発光管及び反射板の変形例を示す平面図である。
【図１０】同変形例を示す平面図である。
【図１１】本発明の照明装置として電気スタンドを示す斜視図である。
【符号の説明】
【００６８】
１    照明装置
１１    蛍光ランプ装置
１７    ホルダー
１７ｃ  発光管取付け面
１９    反射板
１９ａ  透孔  
２６    接着剤
【図１】
2007273262.tif 000003
【図２】
2007273262.tif 000004
【図３】
2007273262.tif 000005
【図４】
2007273262.tif 000006
【図５】
2007273262.tif 000007
【図６】
2007273262.tif 000008
【図７】
2007273262.tif 000009
【図８】
2007273262.tif 000010
【図９】
2007273262.tif 000011
【図１０】
2007273262.tif 000012
【図１１】
2007273262.tif 000013